(57)【要約】【課題】  確実にクリーニングをできるようにするとともに、クリーニング時間を短くできるロウスツールの天板構造を提供すること。【解決手段】  ロウスツールの天板構造は、ケミカルタンカーのカーゴタンク内で、スツール斜板１７２同士の各頂部側を天板１７１に固定しかつスツール斜板１７２同士の各底部側をカーゴタンクの底板に固定してなるロウスツール１７と、ロウスツール１７の天板１７１上に底部側が固定された波形隔壁１９とによってカーゴタンクを仕切る構造において、ロワスツール１７の天板１７１の下部は、スツール斜板１７２同士の対面反対側におけるスツール斜板１７２と天板１７１との一部をティグ溶接してなる構造とし、ティグ溶接部を含む溶接部表面を天板側面を含んで水平面に対して所定の鈍角以下の滑らかな面Ｓｏに仕上げてなるものである。【選択図】        図１
2005096484.tif 000002
【特許請求の範囲】
【請求項１】
ケミカルタンカーのカーゴタンク内で、スツール斜板同士の各頂部側を天板に固定しかつ前記スツール斜板同士の各底部側を前記カーゴタンクの底板に固定してなるロウスツールと、前記ロウスツールの天板上に底部側が固定された波形隔壁とによって前記カーゴタンクを仕切る構造において、
前記ロワスツールの天板の下部は、前記スツール斜板同士の対面反対側における前記スツール斜板と前記天板との一部に、炭酸ガスアーク溶接してガス溶接部を形成し、さらに、スツール斜板の表面側部分と前記ガス溶接部との間と、前記天板の下面側と前記ガス溶接部との間を、ティグ溶接してティグ溶接部を形成し、かつ、前記ガス溶接部分およびティグ溶接部分の表面と前記天板の側面を、水平面に対して所定の角度以下の滑らかな面に仕上げてなることを特徴とするロウスツールの天板構造。
【請求項２】
前記ロウスツールは、ケミカルタンカーのカーゴタンク内で、スツール斜板同士の頂部側を当該スツール斜板同士の底部側より狭く配置して前記各頂部を天板に固定しかつ前記スツール斜板同士の底部側を前記カーゴタンクの底板に固定してなることを特徴とする請求項１記載のロウスツールの天板構造。
【請求項３】
前記ティグ溶接部の表面を前記天板側面を含んで水平面に対して所定の鈍角以下の滑らかな面は、水面面に対して１２０度を超えない面としたものであることを特徴とする請求項１記載のロウスツールの天板構造。
【発明の詳細な説明】
【技術分野】
【０００１】
本発明は、ケミカルタンカーのカーゴタンク内においてロウスツールの天板上に波形隔壁の底部側を固定してなる構造であって、前記ロウスツールを構成するスツール斜板と天板との接合部下部におけるロウスツールの天板構造の改造に関するものである。
【背景技術】
【０００２】
一般に、この種のケミカルタンカーは、船倉内を波形隔壁によって縦横に区切り複数のカーゴタンクを形成している。このケミカルタンカーのカーゴタンク内では、当該タンク底板上にロウスツールを固定し、当該ロウスツールの天板上に波形隔壁を固定することにより、前記カーゴタンクを仕切る構造を提供している。
【０００３】
図２は、従来のカーゴタンクを仕切る構造を示す概略構成図である。この図２において、カーゴタンクを仕切る構造は、ケミカルタンカー１１のカーゴタンク１３，１３内において、当該タンク１３，１３の底板１５上にロウスツール１７を固定し、当該ロウスツール１７の天板１７１の上に波形隔壁１９を固定した構造となっている。なお、図２において、符号２１は船底外板であり、この船底外板２１の内部上側には底板１５が設けられることにより二重底構造にしている。また、前記底板１５と前記船底外板２１との間には、図２に示すように、ガータ２３，２３が設けられている。前記カーゴタンク１３，１３の上部には、図２に示すように、上甲板２５が設けられている。
【０００４】
このケミカルタンカー１１には、図２に示すように、前記上甲板２５の一部に水密構造をした開口部２５ａを設けられており、この開口部２５ａに洗浄用ノズル２７が取り付けられている。この洗浄用ノズル２７は、当該ノズルより放出する洗浄用水に指向性を持たせることができ、所望の方向に洗浄用水を放水できるように構成されている。この洗浄用ノズル２７には、水源からの洗浄用水を当該洗浄用ノズル２７に供給できる補給水路２９が連通接続されている。
【０００５】
また、前記ロウスツール１７は、図２に示すように、スツール斜板１７２，１７２同士の頂部側を当該スツール斜板１７２，１７２同士の底部側より狭く配置して前記スツール斜板１７２，１７２の各頂部を天板１７１に溶接固定しかつ前記スツール斜板１７２，１７２同士の各底部側を前記カーゴタンク１３，１３の底板１５にそれぞれ溶接固定することにより構成されている。
【０００６】
図３は、上記従来のカーゴタンクを仕切る構造において、ロウスツールの天板構造の一部であって、図２の丸で囲った部分３０を拡大して示す図である。前述した図２の丸で囲った部分３０は、図３に示すように、前記ロウスツール１７を構成する天板１７１の上に波形隔壁１９の下端を炭酸ガスアーク溶接してガス溶接部Ｙａで固定し、かつ、前記ロウスツール１７を構成するスツール斜板１７２の頂部を天板１７１の下面に炭酸ガスアーク溶接してガス溶接部Ｙｂで固定してある。
【０００７】
このような構造において、ケミカルタンカー１１のカーゴタンク１３，１３内を洗浄する場合には、図２に示すように、水源より図示しないポンプ等により加圧して補給水路２９を介して洗浄用ノズル２７に加圧洗浄水を供給する。洗浄用ノズル２７から放出された加圧洗浄水は、図２に示す矢印Ｗのように放出されてカーゴタンク１３内を洗浄することになる。また、この洗浄水は、前述した図２の丸で囲った部分３０に供給されると、天板１７１の上面や側面には放射れさるものの、前記天板１７１の下面には図３に示すように届かない。また、天板１７１の下面では、図３に示すように、波形隔壁１９の側面や天板１７１の上面および側面を伝わった洗浄水が滴下するような状態になる。
【発明の開示】
【発明が解決しようとする課題】
【０００８】
上述した従来のロウスツールの天板構造によれば、図３に示すように、洗浄用ノズル２７からの洗浄水放射が届かず、かつ、波形隔壁１９の側面や天板１７１の上面および側面を伝わった洗浄水が図３に示すように滴下することになる。
このように従来のロウスツールの天板構造によれば、前記ロウスツール１７の天板１７１のした面に高濃度のカーゴが付着すると、洗浄用ノズル２７からの洗浄水によるタンククリーニングで、その付着したカーゴを取り除くことが困難であるという欠点があった。
【０００９】
また、前記ロウスツール１７の天板１７１の下面に、図３に示すように何時までも水滴状態となったままになって、クリーニング時間が長くかかるという欠点があった。
本発明は、上述した従来の不都合を解消し、確実にクリーニングをできるようにするとともに、クリーニング時間を短くできるロウスツールの天板構造を提供することを目的とする。
【課題を解決するための手段】
【００１０】
上記目的を達成するために、請求項１記載の発明に係るロウスツールの天板構造は、ケミカルタンカーのカーゴタンク内で、スツール斜板同士の各頂部側を天板に固定しかつ前記スツール斜板同士の各底部側を前記カーゴタンクの底板に固定してなるロウスツールと、前記ロウスツールの天板上に底部側が固定された波形隔壁とによって前記カーゴタンクを仕切る構造において、前記ロワスツールの天板の下部は、前記スツール斜板同士の対面反対側における前記スツール斜板と前記天板との一部に、炭酸ガスアーク溶接してガス溶接部を形成し、さらに、スツール斜板の表面側部分と前記ガス溶接部との間と、前記天板の下面側と前記ガス溶接部との間を、ティグ溶接してティグ溶接部を形成し、かつ、前記ガス溶接部分およびティグ溶接部分の表面と前記天板の側面を、水平面に対して所定の角度以下の滑らかな面に仕上げてなることを特徴とするものである。
請求項２記載の発明では、本願請求項１記載のロウスツールの天板構造において、前記ロウスツールは、ケミカルタンカーのカーゴタンク内で、スツール斜板同士の頂部側を当該スツール斜板同士の底部側より狭く配置して前記各頂部を天板に固定しかつ前記スツール斜板同士の底部側を前記カーゴタンクの底板に固定してなることを特徴とするものである。
請求項３記載の発明では、本願請求項１記載のロウスツールの天板構造において、前記ティグ溶接部の表面を前記天板側面を含んで水平面に対して所定の鈍角以下の滑らかな面は、水面面に対して１２０度を超えない面としたものであることを特徴とするものである。
【発明の効果】
【００１１】
本発明に係るロウスツールの天板構造は、前記ロワスツールの天板の下部は、前記スツール斜板同士の対面反対側における前記スツール斜板と前記天板とをティグ溶接してなる構造とし、かつ、前記ティグ溶接部の表面を前記天板側面を含んで水平面に対して所定の鈍角以下の滑らかな面に仕上げてなるので、次のような効果がある。
（１）高粘度カーゴのタンククリーニングが容易になる。
（２）クリーニング時間を短縮できる。
（３）確実にクリーニングを完了させることができるので、前のカーゴと次に積むカーゴとが混じる心配がなくなる。
（４）また、腐食性の強いカーゴを積んだ後でも確実にクリーニングを完了させることができるので、腐食しにくい構造にすることができる。
【発明を実施するための最良の形態】
【００１２】
以下、本発明を実施するための最良の形態について図面を参照して説明する。
図１は、本発明を実施するための最良の形態に係るロウスツールの天板構造の一部を拡大して示す構成図である。なお、この図１において、本発明を実施するための最良の形態に係るロウスツールの天板構造は、前述した図２の丸で囲った部分３０と基本的な構造が同じであるので、図３に示す従来のロウスツールの天板構造と同一部材には同一の符号を付して説明をすることにする。
【００１３】
この図１において、前記ロウスツール１７を構成する天板１７１の上に波形隔壁１９の下端は、炭酸ガスアーク溶接してガス溶接部Ｙａで固定されている。また、本発明を実施するための最良の形態に係るロウスツールの天板構造の一部構造３０Ａは、前記ロウスツール１７を構成するスツール斜板１７２の頂部の両面を天板１７１の下面に炭酸ガスアーク溶接してガス溶接部Ｙｂを形成し、さらに、スツール斜板１７２の表面側部分と前記ガス溶接部Ｙｂとの間と、天板１７１の下面側とガス溶接部Ｙｂとの間を、ティグ溶接（Ｔｉｇ溶接）してティグ溶接部Ｙｔを形成し、かつ、前記溶接部Ｙｂおよびティグ溶接部Ｙｔの表面Ｓａと前記天板１７１の側面Ｓｂを、水平面に対して所定の角度θ（鈍角）以下の滑らかな面Ｓｏに仕上げてなるものである。
【００１４】
また、上記実施の形態では、前記炭酸ガスアーク溶接によるガス溶接部Ｙｂおよびティグ溶接部Ｙｔの表面Ｓａと前記天板１７１の側面Ｓｂとは、前述したとおり、水平面に対して所定の鈍角以下に設定されている滑らかな面Ｓｏに仕上げてあり、この面Ｓｏと水平面とがなす角度θは、θ＝１２０〔度〕を超えない値に設定してなるものである。
なお、前記ロウスツール１７は、図２に示すように、ケミカルタンカー１１のカーゴタンク１３，１３内で、スツール斜板１７２，１７２同士の頂部側を当該スツール斜板１７２，１７２同士の底部側より狭く配置して前記各頂部を天板１７１に溶接固定しかつ前記スツール斜板１７２，１７２同士の底部側を前記カーゴタンク１３，１３の底板１５に固定してなるものである。
【００１５】
このような構造において、ケミカルタンカー１１のカーゴタンク１３，１３内を洗浄する場合には、図２に示すように、水源より図示しないポンプ等により加圧して補給水路２９を介して洗浄用ノズル２７に加圧洗浄水を供給する。洗浄用ノズル２７から放出された加圧洗浄水は、図２に示す矢印Ｗのように放出されてカーゴタンク１３内を洗浄することになる。また、この洗浄水は、前記ロウスツールの天板構造の一部構造３０Ａに供給されると、図１の矢印Ｗに示すように、滑らかな面Ｓｏに平行に放射されることになる。また、波形隔壁１９の側面や天板１７１の上面および側面を伝わった洗浄水は、滑らかな面Ｓｏを伝って流れ落ちることになる。
【００１６】
したがって、本発明に係るロウスツールの天板構造は、上述したような構造になっており、洗浄用ノズル２７から放出された加圧洗浄水が滑らかな面Ｓｏに平行に放射されて確実に滑らかな面を洗浄でき、しかも、波形隔壁１９の側面や天板１７１の上面および側面を伝わった洗浄水も前記滑らかな面Ｓｏを伝って下に流れ落ちることになるので、次のような効果がある。
（１）高粘度カーゴのタンククリーニングが容易になる。
（２）クリーニング時間を短縮できる。
（３）確実にクリーニングを完了させることができるので、前のカーゴと次に積むカーゴとが混じる心配がなくなる。
（４）また、腐食性の強いカーゴを積んだ後でも確実にクリーニングを完了させることができるので、腐食しにくい構造にすることができる。
【図面の簡単な説明】
【００１７】
【図１】本発明を実施するための最良の形態に係るロウスツールの天板構造の一部を拡大して示す構成図である。
【図２】従来のカーゴタンクを仕切る構造を示す概略構成図である。
【図３】上記従来のカーゴタンクを仕切る構造において、ロウスツールの天板構造の一部であって、図２の丸で囲った部分を拡大して示す図である。
【符号の説明】
【００１８】
１１  ケミカルタンカー
１３  カーゴタンク
１５  底板
１７  ロウスツール
１９  波形隔壁
２１  船底外板
２３  ガータ
２５  上甲板
２７  洗浄用ノズル
２９  補給水路
１７１  天板
１７２  スツール斜板
Ｙａ，Ｙｂ  ガス溶接部
Ｙｔ   ティグ溶接部
Ｓｂ  天板の側面
Ｓｏ  滑らかな面
【図１】
2005096484.tif 000003
【図２】
2005096484.tif 000004
【図３】
2005096484.tif 000005